(57)【特許請求の範囲】
【請求項１】
ネットワーク側が下りリンクキャリアにてシステム情報を送信するステップを備え、
前記システム情報は、当該下りリンクキャリアの主システム情報と無線リソース配置情報、及びマルチキャリアにおける少なくとも１つの他の下りリンクキャリアの主システム情報と無線リソース配置情報を含み、
前記ネットワーク側が下りリンクキャリアにてシステム情報を送信するステップは、
前記ネットワーク側が、下りリンクキャリアの物理ブロードキャストチャンネル（Ｐｈｙｓｉｃａｌ  Ｂｒｏａｄｃａｓｔ  Ｃｈａｎｎｅｌ，ＰＢＣＨ）にて当該下りリンクキャリアの主システム情報を送信するステップと、
前記ネットワーク側が、物理下りリンク共用チャネル（Ｐｈｙｓｉｃａｌ  Ｄｏｗｎｌｉｎｋ  Ｓｈａｒｅｄ  Ｃｈａｎｎｅｌ，ＰＤＳＣＨ）にて当該下りリンクキャリアの無線リソース配置情報を送信するステップと、
前記ネットワーク側が、ＰＤＳＣＨにて少なくとも１つの前記他の下りリンクキャリアの主システム情報と無線リソース配置情報を送信するステップとを備え、
ここで、前記ネットワーク側が下りリンクキャリアのＰＤＳＣＨにて当該下りリンクキャリアの無線リソース配置情報を送信する場合、当該下りリンクキャリアの無線ネットワーク仮識別子ＳＩ−ＲＮＴＩを物理下りリンク制御チャンネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）に載せ、
前記ネットワーク側が下りリンクキャリアのＰＤＳＣＨにて少なくとも１つの前記他の下りリンクキャリアの無線リソース配置情報を送信する場合、少なくとも１つの前記他の下りリンクキャリアのＳＩ−ＲＮＴＩをＰＤＣＣＨに載せる
ことを特徴とするシステム情報の送信方法。
【請求項２】
前記ネットワーク側は、マルチキャリアにおける各下りリンクキャリアの主システム情報と無線リソース配置情報を配置し、マルチキャリアにおける各下りリンクキャリアにてシステム情報を送信し、
前記システム情報は、当該下りリンクキャリアの主システム情報、無線リソース配置情報及び少なくとも１つの他の下りリンクキャリアの主システム情報を含む
ことを特徴とする請求項１に記載のシステム情報の送信方法。
【請求項３】
前記システム情報は、システム情報を送信する下りリンクキャリアのシステム情報ブロック１、システム情報ブロック３からシステム情報ブロック１１の情報中の１種類或いは多種類を含むことを特徴とする請求項１または２に記載のシステム情報の送信方法。
【請求項４】
前記ネットワーク側が下りリンクキャリアにてシステム情報を送信した後に、
端末が下りリンクキャリアにてシステム情報を受信するステップをさらに備えることを特徴とする請求項１ないし３のいずれかに記載のシステム情報の送信方法。
【請求項５】
前記ネットワーク側が下りリンクキャリアにてシステム情報を送信した後に、
端末が下りリンクキャリアにてシステム情報を受信するステップをさらに備えることを
特徴とする請求項１に記載のシステム情報の送信方法。
【請求項６】
前記端末が下りリンクキャリアにてシステム情報を受信するステップは、
前記端末が、下りリンクキャリアを検出するステップと、
前記端末が、検出した下りリンクキャリアにて当該下りリンクキャリアの主システム情報を受信するステップと、
前記端末が、当該下りリンクキャリアにて前記主システム情報に基づいて他のシステム情報を受信するステップと、を備え、
前記他のシステム情報は、当該下りリンクキャリアの無線リソース配置情報と、少なくとも１つの前記他の下りリンクキャリアの主システム情報と無線リソース配置情報とを含む
ことを特徴とする請求項５に記載のシステム情報の送信方法。
【請求項７】
前記端末が他のシステム情報を受信するステップは、
前記端末が下りリンクキャリアに載せられた当該下りリンクキャリアの無線ネットワーク仮識別子（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｉｅｒ、ＳＩ−ＲＮＴＩ）により当該下りリンクキャリアの無線リソース配置情報を受信するステップと、
前記端末が下りリンクキャリアに載せられた少なくとも１つの前記他の下りリンクキャリアのＳＩ−ＲＮＴＩにより少なくとも１つの前記他の下りリンクキャリアの無線リソース配置情報を受信するステップと、
を備えることを特徴とする請求項６に記載のシステム情報の送信方法。
【請求項８】
前記下りリンクキャリアの主システム情報は、下りリンクキャリアの周波数点、帯域幅、フレーム番号と物理混合自動再送信指示チャンネルＰＨＩＣＨ配置情報中の１種類或は多種類を含むことを特徴とする請求項１に記載のシステム情報の送信方法。
【請求項９】
下りリンクキャリアの主システム情報と無線リソース配置情報、及び少なくとも１つの他の下りリンクキャリアの主システム情報と無線リソース配置情報を含むシステム情報を下りリンクキャリアにて送信するネットワーク側と、
下りリンクキャリアにてシステム情報を受信する端末と、を備える
前記ネットワーク側が下りリンクキャリアにてシステム情報を送信することは、
前記ネットワーク側が、下りリンクキャリアの物理ブロードキャストチャンネル（Ｐｈｙｓｉｃａｌ  Ｂｒｏａｄｃａｓｔ  Ｃｈａｎｎｅｌ，ＰＢＣＨ）にて当該下りリンクキャリアの主システム情報を送信することと、
前記ネットワーク側が、物理下りリンク共用チャネル（Ｐｈｙｓｉｃａｌ  Ｄｏｗｎｌｉｎｋ  Ｓｈａｒｅｄ  Ｃｈａｎｎｅｌ，ＰＤＳＣＨ）にて当該下りリンクキャリアの無線リソース配置情報を送信することと、
前記ネットワーク側が、ＰＤＳＣＨにて少なくとも１つの前記他の下りリンクキャリアの主システム情報と無線リソース配置情報を送信することとを備え、
ここで、前記ネットワーク側が下りリンクキャリアのＰＤＳＣＨにて当該下りリンクキャリアの無線リソース配置情報を送信する場合、当該下りリンクキャリアの無線ネットワーク仮識別子ＳＩ−ＲＮＴＩを物理下りリンク制御チャンネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）に載せ、
前記ネットワーク側が下りリンクキャリアのＰＤＳＣＨにて少なくとも１つの前記他の下りリンクキャリアの無線リソース配置情報を送信する場合、少なくとも１つの前記他の下りリンクキャリアのＳＩ−ＲＮＴＩをＰＤＣＣＨに載せる
ことを特徴とする通信システム。
【請求項１０】
前記ネットワーク側は、さらにマルチキャリアにおける各下りリンクキャリアの主シス
テム情報と無線リソース配置情報を配置し、マルチキャリアにおける各下りリンクキャリ
アにてシステム情報を送信し、
前記システム情報は、当該下りリンクキャリアの主システム情報、無線リソース配置情
報及び少なくとも１つの他の下りリンクキャリアの主システム情報を含む
ことを特徴とする請求項９に記載の通信システム。
【請求項１１】
前記システム情報は、システム情報を送信する下りリンクキャリアのシステム情報ブロック１、システム情報ブロック３からシステム情報ブロック１１の情報中の１種類或いは多種類をさらに含むことを特徴とする請求項９或いは１０記載の通信システム。
【請求項１２】
ネットワーク側設備であって、前記設備は、送信モジュールを備え、
前記送信モジュールは、
下りリンクキャリアの主システム情報と無線リソース配置情報、及び少なくとも１つの他の下りリンクキャリアの主システム情報とを無線リソース配置情報含むシステム情報を下りリンクキャリアにて送信し、
下りリンクキャリアの物理ブロードキャストチャンネルＰＢＣＨにて当該下りリンクキャリアの主システム情報の送信し、
ＰＤＳＣＨにて当該下りリンクキャリアの無線リソース配置情報を送信し、
ＰＤＳＣＨにて少なくとも１つの前記他の下りリンクキャリアの主システム情報と無線リソース配置情報を送信し、
下りリンクキャリアにて当該下りリンクキャリアの無線リソース配置情報を送信する場合、当該下りリンクキャリアの無線ネットワーク仮識別子（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｉｅｒ、ＳＩ−ＲＮＴＩ）をＰＤＣＣＨに載せ、
少なくとも１つの前記他の下りリンクキャリアの無線リソース配置情報を送信する場合、少なくとも１つの前記他の下りリンクキャリアのＳＩ−ＲＮＴＩをＰＤＣＣＨに載せる
ことを特徴とするネットワーク側設備。
【請求項１３】
前記ネットワーク側設備は、マルチキャリアにおける各下りリンクキャリアの主システム情報と無線リソース配置情報を配置する配置モジュールとをさらに備え、
前記送信モジュールは、下りリンクキャリアの主システム情報、無線リソース配置情報及び少なくとも１つの他の下りリンクキャリアの主システム情報を含むシステム情報を前記マルチキャリアにおける各下りリンクキャリアにて送信することを特徴とする請求項１２に記載のネットワーク側設備。
【請求項１４】
前記システム情報は、システム情報を送信する下りリンクキャリアのシステム情報ブロック１、システム情報ブロック３からシステム情報ブロック１１の情報中の１種類或いは多種類をさらに含むことを特徴とする請求項１２或いは１３に記載のネットワーク側設備。
【請求項１５】
前記配置モジュールは、システム情報を送信する下りリンクキャリアのシステム情報ブロック１２に少なくとも１つの前記他の下りリンクキャリアの主システム情報を配置することを特徴とする請求項１２ないし１４のいずれかに記載のネットワーク側設備。
【請求項１６】
前記送信モジュールは、下りリンクキャリアにてシステム情報を送信した後、さらに端末に対しして、当該下りリンクキャリアにてシステム情報を受信するよう支持することを特徴とする請求項１２ないし１５のいずれかに記載のネットワーク側設備。
【請求項１７】
下りリンクキャリアの主システム情報は、下りリンクキャリアの周波数点、帯域幅、フレーム番号と物理混合自動再送信指示チャネルＰＨＩＣＨ配置情報中の１種類或いは多種類を含むことを特徴とする請求項１２ないし１６のいずれかに記載のネットワーク側設備。
【請求項１８】
端末であって、前記端末は、検出サブモジュールと、第１受信サブモジュールと、第２受信サブモジュールと、を備え、
前記検出サブモジュールは、下りリンクキャリアを検出し、
前記第１受信サブモジュールは、検出サブモジュールの検出した下りリンクキャリアにて当該下りリンクキャリアの主システム情報を受信し、
前記第２受信サブモジュールは、当該下りリンクキャリアにて前記第１受信サブモジュールが受信した主システム情報に基づいて、前記検出した下りリンクキャリアの無線リソース配置情報、少なくとも１つの前記他の下りリンクキャリアの主システム情報、および無線リソース配置情報を含む他のシステム情報を受信し、
下りリンクキャリアに載せられた当該下りリンクキャリアの無線ネットワーク仮識別子（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｉｅｒ、ＳＩ−ＲＮＴＩ）により当該下りリンクキャリアにて当該下りリンクキャリアの無線リソース配置情報を受信し、
下りリンクキャリアに載せられた少なくとも１つの他の下りリンクキャリアのＳＩ−ＲＮＴＩにより当該下りリンクキャリアにて少なくとも１つの前記他の下りリンクキャリアの無線リソース配置情報を受信する
ことを特徴とする端末。
【請求項１９】
前記システム情報は、システム情報を送信する下りリンクキャリアのシステム情報ブロック１、システム情報ブロック３からシステム情報ブロック１１の情報中の１種類或いは多種類をさらに含むことを特徴とする請求項１８に記載の端末。
【請求項２０】
下りリンクキャリアの主システム情報は、下りリンクキャリアの周波数点、帯域幅、フレーム番号と物理混合自動再送信指示チャンネルＰＨＩＣＨ配置情報中の１種類或いは多種類を含むことを特徴とする請求項１８に記載の端末。
【発明の詳細な説明】
【技術分野】
【０００１】
本発明は、通信技術分野に関し、特にシステム情報の送信方法、システム及び設備に関する。
【背景技術】
【０００２】
多くの新技術がＬＴＥ−Ａ（ＬＴＥ−Ａｄｖａｎｃｅｄ、ＬＴＥ後継進化版）に盛り込まれ、そのうち、より高い帯域幅の伝送を支援する重要な技術として、キャリア・アグリゲーション（ｃａｒｒｉｅｒ  ａｇｇｒｅｇａｔｉｏｎ）技術も導入されている。キャリア・アグリゲーションの基本原理は基本作業キャリアを２つ或いはより多く集合させ共に動作することを通して、より高い帯域幅ニーズを満たすことである。キャリア・アグリゲーション技術を導入した後に、１セル内の作業キャリア数が１つから複数になるため、マルチキャリア通信シーンを形成した。現在、ＬＴＥ−Ａシステムのシステム情報送・受信方法はＬＴＥ（Ｌｏｎｇ  Ｔｅｒｍ  Ｅｖｏｌｕｔｉｏｎ、ロング・ターム・エボリューション）システムのシステム情報送・受信方法を受け継いでいる。
【０００３】
ＬＴＥシステムにおいて、主システム情報ブロックとシステム情報ブロック１からシステム情報ブロック１１である１２種類のＬＴＥのシステム情報が含まれる。その内、主システム情報ブロックは、下りリンクキャリア帯域幅の伝送、フレーム番号とＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ、物理混合自動再送信要求指示チャンネル）配置情報に用いる。一方、システム情報ブロック１は、当該下りリンクキャリアの伝送が端末のアクセス可否情報と他のシステム情報ブロックのスケジューリング情報の伝送に用い、他のシステム情報ブロックのスケジューリング情報はシステム情報ブロック２からシステム情報ブロック１１の位置と周期等の情報送信の識別に用いる。システム情報ブロック２は、例えば、当該情報を伝送する下りリンクキャリアとペアとなる上りリンク作業キャリアの帯域幅情報、当該下りリンクキャリアのＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、マルチキャスト  ブロードキャスト単一周波数ネットワーク）配置情報等のような当該下りリンクキャリアの無線リソース配置情況の伝送に用い、システム情報ブロック３からシステム情報ブロック８は、主に端末がセルを選択或いは再選実行に関連する情報を伝送し、もし当該下りリンクキャリアがファミリー基地局に属する際は、システム情報ブロック９はファミリー基地局のＩＤ（ｉｄｅｎｔｉｆｉｅｒ、識別）の伝送に用いる。そのためシステム情報ブロック９は当該下りリンクキャリアがファミリー基地局に属する際にのみ存在する。システム情報ブロック１０とシステム情報ブロック１１は、システムのＥＴＷＳ（Ｅａｒｔｈｑｕａｋｅ  ａｎｄ  Ｔｓｕｎａｍｉ  Ｗａｒｎｉｎｇ  Ｓｙｓｔｅｍ、地震津波予測システム）関連情報を伝送する。
【０００４】
ＬＴＥ−Ａのマルチキャリアマルチマルチキャリアシーンでは、セルのシステム情報の配置と送信は以下のステップに従って実行する。
【０００５】
ステップ１０１において、ネットワーク側は任意にセル中の１つの下りリンクキャリアを選択する。
【０００６】
ステップ１０２において、ネットワーク側は当該下りリンクキャリアのためにシステム情報を配置する。詳しくは、ステップ（１）、ステップ（２）、ステップ（３）とステップ（４）に分けて情報配置を実行する。
【０００７】
ステップ（１）において、ネットワーク側は当該下りリンクキャリア帯域幅、セルフレーム番号と当該下りリンクキャリアＰＨＩＣＨ配置に基づいて主システム情報ブロックを生成する。
【０００８】
ステップ（２）において、ネットワーク側は当該下りリンクキャリアの伝送が端末アクセスを許すか否かと当該下りリンクキャリアのシステム情報ブロック３から１１に基づいてシステム情報ブロック１を生成する。
【０００９】
ステップ（３）において、ネットワーク側は当該下りリンクキャリアの無線リソース配置情況に基づいてシステム情報ブロック２を生成する。
【００１０】
ステップ（４）において、ネットワーク側はセルと全ネットワーク情況に基づいてシステム情報ブロック３からシステム情報ブロック１１を配置する。
【００１１】
ステップ１０３において、ネットワーク側は配置したシステム情報を当該下りリンクキャリアに載せて送信する。当該ステップは、ステップ（１）とステップ（２）に分けて実行する。
【００１２】
ステップ（１）において、ネットワーク側は主システム情報ブロックを当該下りリンクキャリアのＰＢＣＨ（Ｐｈｙｓｉｃａｌ  Ｂｒｏａｄｃａｓｔ  Ｃｈａｎｎｅｌ、物理ブロードキャストチャンネル）に載せて送信する。
【００１３】
ステップ（２）において、ネットワーク側はシステム情報ブロック１からシステム情報ブロック１１を当該下りリンクキャリアのＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共用チャネル）に載せて送信し、なおかつＰＤＳＣＨがＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）により指示をするため、セルのＳＩ−ＲＮＴＩ（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｉｅｒ、システム情報の無線ネットワーク仮識別子）を、システム情報の伝送を指示するＰＤＳＣＨのＰＤＣＣＨに載せる。
【００１４】
ステップ１０４において、ネットワーク側がシステム情報を配置していない下りリンクキャリアが存在するか否かを判定する。
【００１５】
ネットワーク側がシステム情報を配置していない下りリンクキャリアが存在するか否かを具体的に判定するには以下の２種類のどちらかの状況による。
【００１６】
ネットワーク側がシステム情報を配置していない下りリンクキャリアが存在すると判定した際、ステップ１０２に入る。
【００１７】
ネットワーク側がシステム情報を配置していない下りリンクキャリアが存在しないと判定した際、このシステム情報の配置と送信を終了する。
【００１８】
ＬＴＥ−Ａのマルチキャリアシーンでは、端末のセルシステム情報の受信は以下のステップに従って実行する。
【００１９】
ステップ２０１において、端末は下りリンク同期チャンネルの捕獲により、セルの1つの下りリンクキャリアを検出する。
【００２０】
ステップ２０２において、端末は当該下りリンクキャリアのＰＢＣＨにて当該下りリンクキャリアの主システム情報ブロックを受信し、当該下りリンクキャリアの帯域とＰＨＩＣＨ配置情報、及び当該セルのフレーム番号を取得する。
【００２１】
ステップ２０３において、端末は当該下りリンクキャリアＰＨＩＣＨの配置情報に基づいて、当該下りリンクキャリアのＰＤＣＣＨに対してブラインド検出を実行する。検出したあるＰＤＣＣＨにＳＩ−ＲＮＴＩを含む際、当該ＰＤＣＣＨに対応するＰＤＳＣＨを解析し、即ち、システム情報を解析する。具体的にステップ（ａ）とステップ（ｂ）を備える。
【００２２】
ステップ（ａ）において、システム情報ブロック１の送信位置は固定しているため、端末はまずシステム情報ブロック１を解析し、端末の当該下りリンクキャリアへのアクセスを許すか否かの情報と当該下りリンクキャリアの他のシステム情報ブロックのスケジューリング情報を取得する。もし端末アクセスが許されない場合、端末はステップ２０１に入る。さもなければ、ステップ２０３（ｂ）に入る。
【００２３】
ステップ（ｂ）において、端末はシステム情報ブロック１の他のシステム情報ブロックに基づいて情報をスケジューリングして、対応する位置で他のシステム情報ブロックを取得し、かつ対応するシステム情報を得る。
【００２４】
ステップ２０４において、端末は、他の下りリンクキャリアのシステム情報取得が必要か否かを判定する。
【００２５】
端末が他の下りリンクキャリアのシステム情報取得が必要か否かを判定するには具体的に以下の２種類の状況のどちらかである。
【００２６】
端末が他の下りリンクキャリアのシステム情報の取得が必要だと判定した際、ステップ２０１に入り、同期、モニタリングと解析の過程を繰り返すか、端末が他の下りリンクキャリアのシステム情報の取得が必要ないと判定した際、ステップ２０４を終了する。
【発明の概要】
【発明が解決しようとする課題】
【００２７】
本発明を実現する過程において、発明者は従来技術に少なくとも以下の問題点に気づいた。
【００２８】
従来技術によりＬＴＥ−Ａマルチキャリアマルチキャリアシーンにおけるセルシステム情報の送受信を実現するには、セル内の各下りリンクキャリアは全て自己のシステム情報のみを放送し、相互間で放送したシステム情報は比較的独立している。ある下りリンクキャリアをモニタリングする端末がセル内の他の下りリンクキャリアのシステム情報を取得ようとする際、端末は改めて同期、モニタリングと解析を実行する必要があるため、端末が他の下りリンクキャリアシステム情報を取得する速度と効率が低下してしまう。
【課題を解決するための手段】
【００２９】
本発明の実施形態は、システム情報の送信方法、システム及び設備を提供することにより、マルチキャリアシステムにおける端末が他の下りリンクキャリアシステム情報を取得する速度と効率を高める。
【００３０】
本発明に係る実施形態に提供するシステム情報の送信方法は、ネットワーク側が下りリンクキャリアにてシステム情報を送信するステップを備え、上記システム情報は、下りリンクキャリアの主システム情報と無線リソース配置情報、及びマルチキャリアにおける少なくとも１つの他の下りリンクキャリアの主システム情報を含む。
【００３１】
上記システム情報は少なくとも１つの上記他の下りリンクキャリアの無線リソース配置情報をさらに含む。
【００３２】
上記ネットワーク側はマルチキャリアにおける各下りリンクキャリアの主システム情報と無線リソース配置情報を配置して、マルチキャリアにおける各下りリンクキャリアにてシステム情報を送信する。上記システム情報は当該下りリンクキャリアの主システム情報、無線リソース配置情報及び少なくとも１つの他の下りリンクキャリアの主システム情報を含む。
【００３３】
上記システム情報は、システム情報を送信する下りリンクキャリアのシステム情報ブロック１、システム情報ブロック３からシステム情報ブロック１１の情報中の１種類或いは多種類をさらに含む。
【００３４】
上記ネットワーク側は、システム情報を送信する下りリンクキャリアのシステム情報ブロック１２において、少なくとも１つの上記他の下りリンクキャリアの主システム情報を配置する。
【００３５】
上記ネットワーク側が下りリンクキャリアにてシステム情報を送信するステップは、上記ネットワーク側が下りリンクキャリアの物理ブロードキャストチャンネルＰＢＣＨにて当該下りリンクキャリアの主システム情報を送信するステップと、上記ネットワーク側が物理下りリンク共用チャネルＰＤＳＣＨ（Ｐｈｙｓｉｃａｌ  Ｄｏｗｎ  Ｌｉｎｋ  Ｓｈａｒｅｄ  Ｃｈａｎｎｅｌ）にて当該下りリンクキャリアの無線リソース配置情報を送信するステップと、  上記ネットワーク側がＰＤＳＣＨにて少なくとも１つの上記他の下りリンクキャリアの主システム情報と無線リソース配置情報を送信するステップとを備える。
【００３６】
上記ネットワーク側は下りリンクキャリアのＰＤＳＣＨにて当該下りリンクキャリアに無線リソース配置情報を送信する際、当該下りリンクキャリアの無線ネットワーク仮識別子ＳＩ−ＲＮＴＩを物理下りリンク制御チャンネルＰＤＣＣＨに載せ、上記ネットワーク側は、下りリンクキャリアのＰＤＳＣＨにて少なくとも１つの上記他の下りリンクキャリアの無線リソース配置情報を送信する際、少なくとも１つの上記他の下りリンクキャリアのＳＩ−ＲＮＴＩをＰＤＣＣＨに載せる。
【００３７】
上記ネットワーク側が下りリンクキャリアにてシステム情報を送信した後に、端末が下りリンクキャリアにてシステム情報を受信するステップをさらに備える。
【００３８】
上記端末が下りリンクキャリアにてシステム情報を受信するステップは、上記端末が下りリンクキャリアを検出するステップと、上記端末が検出した下りリンクキャリアにて当該下りリンクキャリアの主システム情報を受信するステップと、上記端末が当該下りリンクキャリアにて上記主システム情報に基づいて他のシステム情報を受信するステップとを備え、上記他のシステム情報は当該下りリンクキャリアの無線リソース配置情報と少なくとも１つの上記他の下りリンクキャリアの主システム情報と無線リソース配置情報とを含む。
【００３９】
上記端末が他のシステム情報を受信するステップは、上記端末が下りリンクキャリアに載せた当該下りリンクキャリアのＳＩ−ＲＮＴＩにより当該下りリンクキャリアの無線リソース配置情報を受信するステップと、上記端末が下りリンクキャリアに載せた少なくとも１つの上記他の下りリンクキャリアのＳＩ−ＲＮＴＩ（Ｓｙｓｔｅｍ  ｉｎｆｏｒｍａｔｉｏｎ  ｒａｄｉｏ  ｎｅｔｗｏｒｋ  ｔｅｍｐｏｒａｒｙ  ｉｄｅｎｔｉｙ）により、少なくとも１つの上記他の下りリンクキャリアの無線リソース配置情報を受信するステップとを備える。
【００４０】
下りリンクキャリアの主システム情報は、下りリンクキャリアの周波数点、帯域幅、フレーム番号と物理ＨＡＲＱ指示チャンネルＰＨＩＣＨ配置情報中の１種類或いは多種類を含む。
【００４１】
本発明に係る実施形態により提供した通信システムは、下りリンクキャリアにて下りリンクキャリアの主システム情報と無線リソース配置情報、及び少なくとも１つの他の下りリンクキャリアの主システム情報を含むシステム情報を送信するネットワーク側と、下りリンクキャリアにてシステム情報を受信する端末とを備える。
【００４２】
上記システム情報は少なくとも１つの上記他の下りリンクキャリアの無線リソース配置情報をさらに含む。
【００４３】
上記ネットワーク側は、マルチキャリアにおける各下りリンクキャリアの主システム情報と無線リソース配置情報を配置し、また、マルチキャリアにおける各下りリンクキャリアにてシステム情報を送信する。上記システム情報は当該下りリンクキャリアの主システム情報、無線リソース配置情報及び少なくとも１つの他の下りリンクキャリアの主システム情報をさらに含む。
【００４４】
上記システム情報は、システム情報を送信する下りリンクキャリアのシステム情報ブロック１、システム情報ブロック３からシステム情報ブロック１１情報中の１種類或いは多種類をさらに含む。
【００４５】
本発明に係る実施形態により提供したネットワーク側設備は、下りリンクキャリアにて当該下りリンクキャリアの主システム情報と無線リソース配置情報、及び少なくとも１つの他の下りリンクキャリアの主システム情報を含むシステム情報を送信する送信モジュールを備え、上記システム情報は少なくとも１つの上記他の下りリンクキャリアの無線リソース配置情報をさらに含む。
【００４６】
上記ネットワーク側設備は、マルチキャリアにおける各下りリンクキャリアの主システム情報と無線リソース配置情報を配置する配置モジュールを更に備え、上記送信モジュールは具体的にマルチキャリアにおける各下りリンクキャリアにて当該下りリンクキャリアの主システム情報、無線リソース配置情報及び少なくとも１つの他の下りリンクキャリアの主システム情報を含むシステム情報を送信することに用いる。
【００４７】
上記システム情報は、システム情報を送信する下りリンクキャリアのシステム情報ブロック１、システム情報ブロック３からシステム情報ブロック１１の情報中の１種類或いは多種類をさらに含む。
【００４８】
上記配置モジュールは、システム情報を送信する下りリンクキャリアのシステム情報ブロック１２において、少なくとも１つの上記他の下りリンクキャリアの主システム情報を配置する。
【００４９】
上記送信モジュールは、下りリンクキャリアの物理ブロードキャストチャンネル（Ｐｈｙｓｉｃａｌ  ｂｒｏａｄｃａｓｔ  ｃｈａｎｎｅｌＰＢＣＨ）にて当該下りリンクキャリアの主システム情報を送信し、ＰＤＳＣＨにて当該下りリンクキャリアの無線リソース配置情報を送信し、ＰＤＳＣＨにて少なくとも１つの上記他の下りリンクキャリアの主システム情報と無線リソース配置情報を送信する。
【００５０】
上記送信モジュールは、さらに、下りリンクキャリアにて当該下りリンクキャリアの無線リソース配置情報を送信する場合、当該下りリンクキャリアのＳＩ−ＲＮＴＩをＰＤＣＣＨに載せ、少なくとも１つの上記他の下りリンクキャリアの無線リソース配置情報を送信する場合、少なくとも１つの上記他の下りリンクキャリアのＳＩ−ＲＮＴＩをＰＤＣＣＨに載せる。
【００５１】
上記送信モジュールは、下りリンクキャリアにてシステム情報を送信した後、端末に対して当該下りリンクキャリアにてシステム情報の受信を指示することにさらに用いる。
【００５２】
下りリンクキャリアの主システム情報は、下りリンクキャリアの周波数点、帯域幅、フレーム番号と物理ＨＡＲＱ指示チャンネルＰＨＩＣＨ配置情報中の１種類或いは多種類を含む。
【００５３】
本発明に係る実施形態により提供した端末は、マルチキャリアにおける、端末がモニタリングした下りリンクキャリアにて、ネットワーク側から送信したシステム情報を受信する受信モジュールを備え、上記システム情報はモニタリングした下りリンクキャリアの主システム情報と無線リソース配置情報、及び少なくとも１つの他の下りリンクキャリアの主システム情報を含む。
【００５４】
上記システム情報は少なくとも１つの上記他の下りリンクキャリアの無線リソース配置情報をさらに含む。
【００５５】
上記システム情報はシステム情報を送信する下りリンクキャリアのシステム情報ブロック１、システム情報ブロック３からシステム情報ブロック１１の情報中の１種類或いは多種類をさらに含む。
【００５６】
上記受信モジュールは、下りリンクキャリアを検出する検出サブモジュールと、検出サブモジュールが検出した下りリンクキャリアにて当該下りリンクキャリアの主システム情報を受信する第１受信サブモジュールと、当該下りリンクキャリアにて、上記第１受信サブモジュールが受信した主システム情報に基づいて他のシステム情報を受信する第２受信サブモジュールと、を備え、上記他のシステム情報は検出した下りリンクキャリアの無線リソース配置情報と、上記少なくとも１つの他の下りリンクキャリアの主システム情報と、無線リソース配置情報と、を含む。
【００５７】
上記第２受信サブモジュールは、下りリンクキャリアに載せた当該下りリンクキャリアのＳＩ−ＲＮＴＩにより、当該下りリンクキャリアにて当該下りリンクキャリアの無線リソース配置情報を受信し、下りリンクキャリアに載せた少なくとも１つの上記他の下りリンクキャリアのＳＩ−ＲＮＴＩにより、当該下りリンクキャリアにて少なくとも１つの上記他の下りリンクキャリアの無線リソース配置情報を受信する。
【００５８】
下りリンクキャリアの主システム情報は、下りリンクキャリアの周波数点、帯域幅、フレーム番号と物理ＨＡＲＱ指示チャンネルＰＨＩＣＨ配置情報中の１種類或いは多種類を含む。
【発明の効果】
【００５９】
本発明に係る実施形態はマルチキャリアにおける少なくとも１つの下りリンクキャリアにて当該下りリンクキャリアのシステム情報を送信するだけではなく、マルチキャリアにおける少なくとも１つの他の下りリンクキャリアのシステム情報もさらに送信する。これにより、端末が対応する下りリンクキャリアにて他の下りリンクキャリアのシステム情報を受信できるようにさせ、端末が他の下りリンクキャリアシステム情報を取得する速度と效率を高める。勿論、本発明の実施形態を実施するいずれの製品も以上の全ての利点を同時に満たす必要は必ずしもない。
【図面の簡単な説明】
【００６０】
本発明或いは従来技術中の技術方案をさらに詳細に説明するために、以下に本発明或いは従来技術説明に必要な図面を簡単に紹介する。以下に説明している図面は本発明の一部の実施形態にすぎず、創造性を加えない前提の下でこれらの図面に基づいて他の図面を取得できることは、当業者にとって明らかである。
【図１】従来技術におけるマルチキャリアシステム情報の配置と送信方法のフロー図。
【図２】従来技術におけるマルチキャリアシステム情報の受信方法のフロー図。
【図３】本発明の実施形態にかかるシステム情報の送信方法フロー図。
【図４】本発明の実施形態にかかるシステム情報の送信方法におけるマルチキャリアシステム情報配置のフロー図。
【図５】本発明の実施形態にかかるシステム情報の送信方法におけるマルチキャリアシステム情報送信のフロー図。
【図６】本発明の実施形態にかかるシステム情報の送信方法におけるマルチキャリアシステム情報受信のフロー図。
【図７】本発明の実施形態にかかるネットワーク側設備の構成を示す図。
【図８】本発明の実施形態中の端末の構成を示す図。
【発明を実施するための形態】
【００６１】
本発明の実施形態には、他の下りリンクキャリアのシステム情報がマルチキャリアにおける各下りリンクキャリアに配置され、かつ、対応する下りリンクキャリアにて送信されることにより、端末が対応する下りリンクキャリアにて他の下りリンクキャリアのシステム情報を受信できるようにさせ、これにより端末が他の下りリンクキャリアシステム情報を取得する速度と效率を高める。
【００６２】
説明が必要な点として、マルチキャリアにおける各下りリンク作業キャリアに他の下りリンクキャリアのシステム情報を配置するステップは本発明目的を実現する好ましいステップである。通常、本発明の実施形態には、各下りリンクキャリアに他の下りリンクキャリアのシステム情報を配置する必要はなく、少なくとも１つの下りリンクキャリアに他の下りリンクキャリアのシステム情報を配置すればよく、従来技術と比べ、端末が他の下りリンクキャリアシステム情報を取得する速度と效率を高めることができる。
【００６３】
後継実施形態はマルチキャリアにおける各下りリンクキャリアに対して配置を行い、かつ配置した後の各下りリンクキャリアにてシステム情報を送信することを例とし、本発明案を説明する。
【００６４】
以下に本発明の図面を結合して、本発明における技術方案に対して明確で完全に説明する。説明する実施形態は本発明の一部の実施形態であり、全ての実施形態でないことは明らかってある。本発明における実施形態により、当業者が創造性を加えない前提の下、取得した他の実施形態は全て本発明の保護の範囲に属する。
【００６５】
ＬＴＥ−Ａシステムのシステム情報の送信に対応するため、ＬＴＥシステムの定義する１２種のシステム情報のもとで、ＬＴＥ−Ａシステムのシステム情報も定義した。以下に、まず定義したＬＴＥ−Ａシステムのシステム情報を説明する。
【００６６】
後方互換性を確保するため、ＬＴＥ−Ａシステムのシステム情報は、ＬＴＥシステムに定義した、それぞれが主システム情報ブロックとシステム情報ブロック１からシステム情報ブロック１１である１２種のシステム情報を完全に受け継ぐ。その内、主システム情報ブロックは下りリンクキャリア帯域幅と、フレーム番号とＰＨＩＣＨ配置情報を伝送する。システム情報ブロック１は、端末アクセス可否情報と他のシステム情報ブロックのスケジューリング情報を当該下りリンクキャリアに載せる。ここで、他のシステム情報ブロックのスケジューリング情報はシステム情報ブロック２から１１の送信した位置と周期等の情報表示に用いる。システム情報ブロック２は、例えば当該情報を伝送する下りリンクキャリアとペアとなる上りリンク作業キャリアの帯域幅情報、当該下りリンクキャリアのＭＢＳＦＮ配置情報等のような当該下りリンクキャリアの無線リソース配置情況の伝送に用いる。システム情報ブロック３から８には主に端末がセル選択或いは再選を実行する関連情報を載せられ、もし当該下りリンクキャリアがファミリー基地局に属する際、システム情報ブロック９はファミリー基地局のＩＤを伝送することに用いるため、システム情報ブロック９は当該下りリンクキャリアがファミリー基地局に属する場合のみ存在し、システム情報ブロック１０と１１はネットワーク側のＥＴＷＳ関連情報を伝送する。
【００６７】
本発明の実施形態において、従来の１２種システム情報を保有する以上、さらに第１３種システム情報、即ちシステム情報ブロック１２を加えることができる。システム情報ブロック１２には、当該システム情報ブロックの下りリンクキャリアを除く少なくとも全ての下りリンクキャリアの周波数点と帯域幅とＰＨＩＣＨ配置情況の情報とを伝送する。
【００６８】
本発明の実施形態はシステム情報の送信方法を提供しており、図３に示すように具体的にステップ３０１とステップ３０２とを備える。
【００６９】
ステップ３０１において、ネットワーク側はマルチキャリアにおける各下りリンクキャリアの主システム情報と無線リソース配置情報を配置する。
【００７０】
ＬＴＥ−Ａシステムにおける下りリンクキャリアに載せたシステム情報ブロックが完全に同一ではないが、各下りリンクキャリアには必然的に主システム情報と無線リソース配置情報を有するため、本ステップでは、ネットワーク側は下りリンクキャリアの主システム情報と無線リソース配置情報を配置する以外に、さらに下りリンクキャリアの無線リソース状態に基づいて、システム情報ブロック１、システム情報ブロック３からシステム情報ブロック１１の情報中の１種類或いは多種類を配置することができる。
【００７１】
ステップ３０２において、マルチキャリアにおける各下りリンクキャリアに対して、上記ネットワーク側は上記下りリンクキャリアにて上記下りリンクキャリアのシステム情報を送信する。
【００７２】
上記システム情報は上記下りリンクキャリアの主システム情報と無線リソース配置情報とを含む。また、全ての他の下りリンクキャリアの主システム情報をさらに含む。そして他の下りリンクキャリアの無線リソース配置情報をさらに含む。
【００７３】
もしステップ３０１において、ネットワーク側が下りリンクキャリアのためにシステム情報ブロック１、システム情報ブロック３からシステム情報ブロック１１の情報中の１種類或いは多種類をさらに配置すると、本ステップにおけるシステム情報はシステム情報ブロック１、システム情報ブロック３からシステム情報ブロック１１の情報中の１種類或いは多種類をさらに含む。
【００７４】
本実施形態の方案において、システムキャリアに他の下りリンクキャリアの主システム情報を含む際、端末側は他の下りリンクキャリアの主システム情報に基づいて他の下りリンクキャリアを識別する。好ましくは、本実施形態においてまだ送信しているシステム情報に他の下りリンクキャリアの無線リソース配置情報を含めることで、端末が他の下りリンクキャリアを識別する速度と效率をさらに高める。
【００７５】
後継実施形態では、下りリンクキャリアにて他の下りリンクキャリアの主システム情報と無線リソース配置情報を配置することを例とし、本実施形態の方案を説明する。
【００７６】
ＬＴＥ−Ａシステムのシステム情報の送受信は、主にシステム情報の配置ステップと、システム情報の送信ステップと、システム情報の受信ステップとの３つのステップにより実行する、以下は前記３つのステップにより、ＬＴＥ−Ａシステムのシステム情報送信の全過程を説明する。
【００７７】
本発明の実施形態にはシステム情報の送信方法におけるマルチキャリアシステム情報の配置方法を提供しており、図４に示す通り、具体的にステップ４０１、ステップ４０２、ステップ４０３を含む。
【００７８】
ステップ４０１において、ネットワーク側は各下りリンクキャリアの主システム情報ブロックとシステム情報ブロック２を配置する。
【００７９】
ここで、主システム情報ブロックは下りリンクキャリアの帯域幅、フレーム番号とＰＨＩＣＨ配置情報の伝送に用い、システム情報ブロック２には例えば当該情報を伝送する下りリンクキャリアとペアとなる上りリンク作業キャリアの帯域幅情報、当該下りリンクキャリアのＭＢＳＦＮ配置情報等のような当該下りリンクキャリアの無線リソース配置情況情報の伝送に用いる。
【００８０】
ネットワーク側の各下りリンクキャリアの主システム情報ブロックとシステム情報ブロック２の配置には、具体的に、ステップ（１）とステップ（２）を備える。
【００８１】
ステップ（１）において、ネットワーク側は各下りリンクキャリアの帯域幅、セルフレーム番号と当該下りリンクキャリアのＰＨＩＣＨ配置に基づいて各下りリンクキャリアの主システム情報ブロックを生成する。
【００８２】
ステップ（２）において、ネットワーク側は各下りリンクキャリアの無線リソース配置情況に基づいて各下りリンクキャリアのシステム情報ブロック２を生成する。
【００８３】
例えば、セルは計５つの下りリンクキャリアのマルチキャリアセルであり、ネットワーク側は各下りリンクキャリア毎に１つの主システム情報ブロックと１つのシステム情報ブロック２を配置するため、ネットワーク側は計５つの異なる下りリンクキャリアに属する５つの主システムの情報とシステム情報ブロック２を配置する。
【００８４】
ステップ４０２において、ネットワーク側は各下りリンクキャリアのシステム情報ブロック１を配置する。
【００８５】
ネットワーク側は当該下りリンクキャリアのシステム情報ブロック２からシステム情報ブロック１２、及び他の下りリンクキャリアの情報ブロック２の当該下りリンクキャリアでのスケジューリング情報と、当該下りリンクキャリアで端末のアクセスが可能であるかどう否かの情報に基づいて、システム情報ブロック１を生成する。ここで、各システム情報ブロックのスケジューリング情報は各システム情報ブロックの当該下りリンクキャリアでの送信位置と周期等の情報を含む。
【００８６】
例えば、セルは計５つの下りリンクキャリアのマルチキャリアセルであり、ネットワーク側は各下りリンクキャリアに１つの主システム情報ブロックと２つのシステム情報ブロック２を配置するため、ネットワーク側は計５つの異なる下りリンクキャリアに属する５つのシステム情報ブロック１を配置し、各システム情報ブロック１はそれぞれ各自下りリンクキャリアの関連情報を伝送する。
【００８７】
ステップ４０３において、ネットワーク側は各下りリンクキャリアのシステム情報ブロック３からシステム情報ブロック１１を配置する。
【００８８】
以下、ネットワーク側が各下りリンクキャリアのシステム情報ブロック３からシステム情報ブロック１１を配置するステップを具体的に説明する。
【００８９】
ネットワーク側はセルとネットワークの全体情況に基づいて各下りリンクキャリアのシステム情報ブロック３からシステム情報ブロック１１を配置する。システム情報ブロック３からシステム情報ブロック８は、主に端末がセル選択或いは再選を実行する関連情報を伝送し、当該下りリンクキャリアがファミリー基地局に属する際、システム情報ブロック９はファミリー基地局のＩＤの伝送に用い、さもなければ、システム情報ブロック９は存在しない。システム情報ブロック１０と１１はネットワーク側のＥＴＷＳ関連情報の伝送に用いる。
【００９０】
説明が必要な点として、各下りリンクキャリア、ネットワーク側が配置するシステム情報ブロック３からシステム情報ブロック１１は同じであっても、違っていても良い。
【００９１】
例えば、セルは計５つの下りリンクキャリアのマルチキャリアセルであり、ネットワーク側は各下りリンクキャリア毎にシステム情報ブロック３からシステム情報ブロック１１を配置するため、ネットワーク側は異なる下りリンクキャリアに属する計５セットに属するシステム情報ブロック３−システム情報ブロック１１を配置する。
【００９２】
ステップ４０４において、ネットワーク側は各下りリンクキャリアのシステム情報ブロック１２を配置する。
【００９３】
具体的に、ネットワーク側は上記ステップ４０１における全ての下りリンクキャリアが配置した主システム情報ブロックに基づいて各下りリンクキャリアのシステム情報ブロック１２を配置する。システム情報ブロック１２は少なくともセルにおいて、当該システム情報ブロック１２以外の全ての他の下りリンクキャリアの周波数点、帯域幅とＰＨＩＣＨ配置情況情報を含む主システム情報の伝送に用いる。
【００９４】
例えば、セルは計５つの下りリンクキャリアのマルチキャリアセルであり、下りリンクキャリア１において、システム情報１２には下りリンクキャリア１以外の他の４つの下りリンクキャリアの主システム情報が含まれる。他の下りリンクキャリアの場合、配置方法は下りリンクキャリア１と類似しており、ここでは説明を省略する。
【００９５】
説明が必要な点として、上記ステップ４０１、ステップ４０２、ステップ４０３及びステップ４０４間の実行順序は調整可能であり、ステップ４０４がステップ４０１の後にあることを確保できれば良い。
【００９６】
上記ステップ４０１からステップ４０４において、ネットワーク側が各下りリンクキャリアシステム情報を配置することにより、マルチキャリアにおける各下りリンクキャリアのシステム情報に本下りリンクキャリア及び他の全ての下りリンクキャリアの主システム情報ブロックを含めるようにする。
【００９７】
本発明の実施形態にかかるシステム情報の送信方法におけるマルチキャリアシステム情報の送信方法は、図５に示すように、具体的にステップ５０１、ステップ５０２、ステップ５０３、ステップ５０４を備える。
【００９８】
ステップ５０１において、ネットワーク側はいずれか１つの下りリンクキャリアを選ぶ。
【００９９】
ステップ５０２において、ネットワーク側は当該下りリンクキャリアシステム情報の送信モードを配置する。
【０１００】
ネットワーク側の当該下りリンクキャリアシステム情報の送信モードの配置は、ネットワーク側が、当該下りリンクキャリアシステム情報の送信モードと、当該下りリンクキャリアシステム情報ブロック２と他の下りリンクキャリアのシステム情報ブロック２の送信モードと、システム情報ブロック１の送信モード及び当該下りリンクキャリアのシステム情報ブロック３からシステム情報ブロック１２の送信モードを配置することを指す。具体的に、ステップ（１）、ステップ（２）、ステップ（３）、ステップ（４）を備える。
【０１０１】
ステップ（１）において、ネットワーク側は当該下りリンクキャリアの主システム情報ブロックの送信モードを配置する。
【０１０２】
具体的に、ネットワーク側は当該下りリンクキャリアの主システム情報ブロックを当該下りリンクキャリアＰＢＣＨにて送信する。
【０１０３】
ステップ（２）において、ネットワーク側は当該下りリンクキャリアシステム情報ブロック２と他の下りリンクキャリアのシステム情報ブロック２の送信モードを配置する。
【０１０４】
ネットワーク側は当該下りリンクキャリアのシステム情報ブロック２と他の下りリンクキャリアの情報ブロック２を当該下りリンクキャリアのＰＤＳＣＨにて送信する。
【０１０５】
この際、ＰＤＳＣＨに下りリンクキャリアのシステム情報ブロック２が複数存在し、かつＰＤＣＣＨはＰＤＳＣＨが伝送する情報の指示に用いるため、ＰＤＳＣＨの指示に用いるＰＤＣＣＨには、異なる下りリンクキャリアに対応する、異なるシステム情報ブロック２を指示するＳＩ−ＲＮＴＩが載せられている。
【０１０６】
システム情報ブロック２を載せる原則として具体的に以下のようになる。当該下りリンクキャリアシステム情報ブロック２を伝送するＰＤＳＣＨを指示するＰＤＣＣＨに載せられたＳＩ−ＲＮＴＩの値をＦＦＦＦ（１６進法）とすることと、他の下りリンクキャリアシステム情報ブロック２を伝送するＰＤＳＣＨを指示するＰＤＣＣＨに載せられたＳＩ−ＲＮＴＩの値はＦＦＦ３−ＦＦＦＣから任意のＭ個を取る。ここで、Ｍ＋１はセル内の下りリンクキャリアの数であり、なおかつこれらＳＩ−ＲＮＴＩと他の下りリンクキャリアの間には、ネットワーク側と端末ともに了解する一対一の対応関係がある。例えば、システムと端末は、事前にＦＦＦ３−ＦＦＦ６がモニタリングされた下りリンクキャリア以外に全ての下りリンクキャリアのシステム情報の標示に用いると約束し、さらにこれらＳＩ−ＲＮＴＩと下りリンクキャリア周波数点値が大小の順序に応じて一対一に対応すると約束する。即ちＦＦＦ３はモニタリングされた下りリンクキャリア以外の全ての下りリンクキャリア中の周波数最小の下りリンクキャリアに対応し、ＦＦＦ６はモニタリングされた下りリンクキャリア以外のすべての下りリンクキャリア中の周波数最大の下りリンクキャリアに対応する。
【０１０７】
説明が必要な点として、当該下りリンクキャリアは少なくとも自身のシステム情報ブロック２を載せる必要があり、どの他の下りリンクキャリアのシステム情報ブロック２を載せるかは、ネットワーク側は各下りリンクキャリアの負荷情況等の要素に基づいて决定する。
【０１０８】
ステップ（３）において、ネットワーク側は当該下りリンクキャリアのシステム情報ブロック１の送信モードを配置する。
【０１０９】
ネットワーク側はシステム情報ブロック１を当該下りリンクキャリアのＰＤＳＣＨにて送信し、なおかつ当該下りリンクキャリアのＳＩ−ＲＮＴＩ（ＦＦＦＦ）を、システム情報を伝送するためのＰＤＳＣＨを指示するＰＤＣＣＨに載せる。
【０１１０】
ステップ（４）において、ネットワーク側は当該下りリンクキャリアのシステム情報ブロック３−システム情報ブロック１２の送信モードを配置する。
【０１１１】
ネットワーク側は、システム情報ブロック３からシステム情報ブロック１２を当該下りリンクキャリアのＰＤＳＣＨにて送信し、なおかつ当該下りリンクキャリアのＳＩ−ＲＮＴＩ（ＦＦＦＦ）を、システム情報を伝送する当該下りリンクキャリアのＰＤＳＣＨを指示するＰＤＣＣＨに載せる。
【０１１２】
ここで説明が必要な点として、システム情報ブロック３からシステム情報ブロック１１は必ず載せなければならず、なおシステム情報ブロック１２を載せるかどうかは、ネットワーク側により判断して決められる。
【０１１３】
ステップ５０３において、ネットワーク側は、下りリンクキャリアシステム情報送信モードが配置されていない下りリンクキャリア有無を判定する。
【０１１４】
ネットワーク側は下りリンクキャリアシステム情報送信モードが配置されていない下りリンクキャリア有無の判定には具体的に、以下の２種類の情況のいずれか１つを含む。
【０１１５】
ステップ（ａ）において、下りリンクキャリアシステム情報送信モードが配置されていない下りリンクキャリアが存在すると判定する際、ステップ５０２に入る。
【０１１６】
（ｂ）下りリンクキャリアシステム情報送信モードが配置されていない下りリンクキャリアが存在しないと判定する際、システム情報送信モードの配置を終了し、ステップ５０４に入る。
【０１１７】
ステップ５０４において、ネットワーク側は、上記配置した各下りリンクキャリアのシステム情報の送信モードに従って、各下りリンクキャリアにてシステム情報を送信する。
【０１１８】
説明が必要な点として、上記ステップ５０２において、配置した各種システム情報の送信モードの実行順序は調整できる。
【０１１９】
前記ステップ５０１からステップ５０３において、ネットワーク側はマルチキャリアにおける各下りリンクキャリアにて当該下りリンクキャリア及び他の全ての下りリンクキャリアの主システム情報ブロックの送信を完成し、また他の下りリンクキャリアのシステム情報ブロック２の送信も可能である。
【０１２０】
本発明の実施形態にかかるシステム情報の送信方法におけるマルチキャリアシステム情報の受信方法は、図６に示すように、具体的に、ＬＴＥ−Ａのマルチキャリアシーンの場合、端末のセルシステム情報の受信は以下のステップの通り実行する。
【０１２１】
ステップ６０１において、端末は下りリンク同期チャンネルの取得により、セルのある１つの下りリンクキャリアを検出する。
【０１２２】
ステップ６０２において、端末は当該下りリンクキャリアのＰＢＣＨにて当該下りリンクキャリアに載せた主システム情報ブロックを受信して、当該下りリンクキャリアの帯域幅とＰＨＩＣＨ配置情報、及び当該セルのフレーム番号を取得する。
【０１２３】
ステップ６０３において、端末は当該下りリンクキャリアのシステム情報を解析する。
【０１２４】
具体的に、端末は当該下りリンクキャリアＰＨＩＣＨの配置情報を取得した後、当該下りリンクキャリアのＰＤＣＣＨに対してブラインド検出を実行する。ブラインド検出は、端末がネットワーク側ＰＤＣＣＨの送信位置と調製コード化モードを知らない情況で、ＰＤＣＣＨの全ての出現しうる位置と調製コード化モードに基づいて各種の可能性を試してＰＤＣＣＨを検出することを指す。検出したあるＰＤＣＣＨにＳＩ−ＲＮＴＩを含む際、当該ＰＤＣＣＨに対応するＰＤＳＣＨを解析し、即ち、システム情報を解析する。具体的にステップ（１）とステップ（２）を備える。
【０１２５】
ステップ（１）において、システム情報ブロック１の送信位置は固定しているため、端末はまずシステム情報ブロック１を解析する。システム情報ブロック１は各システム情報ブロックの当該下りリンクキャリアでのスケジューリング情報と当該下りリンクキャリアの場合端末のアクセス可否の情報を含み、ここで、各システム情報ブロックの当該下りリンクキャリアでのスケジューリング情報は各システム情報ブロックの当該下りリンクキャリアでの送信位置と周期等情報を含む。そのため、まずシステム情報ブロック１に基づいて当該下りリンクキャリアで、端末のアクセスを許すか否かを判定する。
【０１２６】
端末のアクセスが許可されない際は、ステップ６０１に入る。
【０１２７】
端末のアクセスが許可される際は、ステップ６０３（２）に入る。
【０１２８】
ステップ（２）において、次に、端末はシステム情報ブロック１における各システム情報ブロックのスケジューリング情報に基づいて、対応する位置にて他のシステム情報ブロックを取得し、かつ他のシステム情報ブロックが伝送した、対応するシステム情報を取得する。
【０１２９】
具体的に、他のシステム情報ブロックが伝送した対応するシステム情報は下記の（ａ）、（ｂ）、（ｃ）を含む。
【０１３０】
情報（ａ）、当該下りリンクキャリアの主システム情報ブロックである。
【０１３１】
情報（ｂ）、当該下りリンクキャリアのシステム情報２及び載せた他の下りリンクキャリアのシステム情報ブロック２である。
【０１３２】
説明が必要な点として、端末が取得した他の下りリンクキャリアのシステム情報ブロック２は必ずしも全ての他の下りリンクキャリアのシステム情報ブロック２ではなく、ただのネットワーク側が当該下りリンクキャリアに載せたシステム情報ブロック２である。
【０１３３】
異なる下りリンクキャリアに対応する複数システム情報ブロック２が存在するため、端末は異なるＳＩ−ＲＮＴＩによりＳＩ−ＲＮＴＩと対応する下りリンクキャリアのシステム情報ブロック２を区分する。区分方法は端末とネットワーク側がともに了解する一対一関係に基づく。具体的に、上記ステップ５０２中の前記識別方法と類似しており、ここでは説明を省略する。
【０１３４】
情報（ｃ）、当該下りリンクキャリアのシステム情報ブロック３からシステム情報ブロック１１、及びシステム情報ブロック１２である。
【０１３５】
説明が必要な点として、ネットワーク側が当該下りリンクキャリアにシステム情報ブロック１２を載せる際にのみ、端末はやっと当該下りリンクキャリアのシステム情報ブロック１２を取得できる。
【０１３６】
つまり、端末は当該下りリンクキャリアにある主システム情報ブロック、システム情報ブロック２及びシステム情報ブロック３−システム情報ブロック１１を取得でき、他の下りリンクキャリアと関連するシステム情報ブロック２と１２は、ネットワーク側により当該下りリンクキャリア中に載せられた際のみに、端末により取得可能である。
【０１３７】
上記ステップ６０１からステップ６０３では、端末は、マルチキャリアにおける１つの下りリンクキャリアにてセル中の当該下りリンクキャリア及び他の全ての下りリンクキャリアの主システム情報ブロック、及び当該下りリンクキャリアに載せた他の下りリンクキャリアのシステム情報ブロック２の取得を完成する。
【０１３８】
本発明の実施形態にかかる通信システムは、下りリンクキャリアにて当該下りリンクキャリアの主システム情報と無線リソース配置情報、及び少なくとも１つの他の下りリンクキャリアの主システム情報を含むシステム情報を送信するネットワーク側と、下りリンクキャリアにてシステム情報を受信する端末とを備える。
【０１３９】
上記ネットワーク側は、マルチキャリアにおける各下りリンクキャリアの主システム情報と無線リソース配置情報の配置にさらに用い、マルチキャリアにおける各下りリンクキャリアに対して、上記ネットワーク側は上記下りリンクキャリアにてシステム情報を送信する。上記システム情報は当該下りリンクキャリアの主システム情報、無線リソース配置情報及び他の下りリンクキャリアの主システム情報を含む。
【０１４０】
本発明の実施形態にかかるネットワーク側設備７０は、図７に示すように、下りリンクキャリアにて当該下りリンクキャリアの主システム情報と無線リソース配置情報、及び少なくとも１つの他の下りリンクキャリアの主システム情報を含むシステム情報を送信する送信モジュール７２を備える。
【０１４１】
上記システム情報はさらに少なくとも１つの上記他の下りリンクキャリアの無線リソース配置情報を含む。
【０１４２】
ネットワーク側設備７０には、マルチキャリアにおける各下りリンクキャリアの主システム情報と無線リソース配置情報を配置する配置モジュール７１をさらに備える。上記送信モジュール７２は、具体的にマルチキャリアにおける各下りリンクキャリアでの当該下りリンクキャリアの主システム情報、無線リソース配置情報及び少なくとも１つの他の下りリンクキャリアの主システム情報を含むシステム情報の送信に用いる。
【０１４３】
マルチキャリアにおける各下りリンクキャリアに対して、上記配置モジュール７１は上記下りリンクキャリアのシステム情報ブロック１２での上記全ての他の下りリンクキャリアの主システム情報の配置にさらに用いる。
【０１４４】
上記送信モジュール７２は具体的に、物理ブロードキャストチャンネルＰＢＣＨにて上記下りリンクキャリアの主システム情報を送信することと、上記下りリンクキャリアのＰＤＳＣＨにて上記下りリンクキャリアの無線リソース配置情報を送信することと、上記下りリンクキャリアのＰＤＳＣＨにて上記全ての他の下りリンクキャリアの主システム情報及び／または上記他の１つのまたは複数下りリンクキャリアの無線リソース配置情報を送信することに用いる。
【０１４５】
また、上記送信モジュールが上記下りリンクキャリアのＰＤＳＣＨにて上記下りリンクキャリアの無線リソース配置情報を送信する場合、上記送信モジュール７２は上記下りリンクキャリアのＳＩ−ＲＮＴＩをＰＤＣＣＨに載せることにさらに用いる。
【０１４６】
上記送信モジュールが上記下りリンクキャリアのＰＤＳＣＨ上にて上記の他の１つの或いは複数下りリンクキャリアの無線リソース配置情報を送信する場合、上記送信モジュール７２は上記他の１つの或いは複数下りリンクキャリアのＳＩ−ＲＮＴＩをＰＤＣＣＨに載せることにさらに用いる。
【０１４７】
上記送信モジュール７２が上記下りリンクキャリアにて上記下りリンクキャリアの上記システム情報を送信した後、端末は、上記下りリンクキャリアにて上記送信モジュール７２の送信した上記下りリンクキャリアの上記システム情報を受信する。
【０１４８】
上記下りリンクキャリアの主システム情報は、上記下りリンクキャリアの周波数点、帯域幅、フレーム番号と物理ＨＡＲＱ指示チャンネルＰＨＩＣＨ配置情報中の１種類或いは多種類を含む。
【０１４９】
本発明の実施形態にかかる端末８０は、図８に示すように、マルチキャリアにおける端末がモニタリングした下りリンクキャリアにてネットワーク側が送信したモニタリングした下りリンクキャリアの主システム情報と無線リソース配置情報、及び少なくとも１つの他の下りリンクキャリアの主システム情報を含むシステム情報を受信する受信モジュール８１を備える。
【０１５０】
上記システム情報は少なくとも１つの上記他の下りリンクキャリアの無線リソース配置情報をさらに含む。
【０１５１】
上記システム情報はシステム情報の下りリンクキャリアのシステム情報ブロック１、システム情報ブロック３からシステム情報ブロック１１の情報中の１種類或いは多種類をさらに含む。
【０１５２】
上記受信モジュール８１は、下りリンクキャリアを検出する検出サブモジュール８１１と、検出サブモジュール８１１が検出した下りリンクキャリアにて当該下りリンクキャリアの主システム情報を受信する第１受信サブモジュール８１２と、当該下りリンクキャリアにて上記第１受信サブモジュール受信の主システム情報に基づいて検出した下りリンクキャリアの無線リソース配置情報、少なくとも１つの上記他の下りリンクキャリアの主システム情報と無線リソース配置情報を含む他のシステム情報を受信する第２受信サブモジュール８１３とを備える。
【０１５３】
上記第２受信サブモジュール８１３が上記下りリンクキャリアにて上記第１受信サブモジュール８１２が受信した上記主システム情報に基づいて上記下りリンクキャリアの上記システム情報における上記下りリンクキャリアの主システム情報以外の他のシステム情報を受信する場合、上記第２受信サブモジュール８１３は具体的に、下りリンクキャリアに載せられた当該下りリンクキャリアのＳＩ−ＲＮＴＩにより当該下りリンクキャリアにて当該下りリンクキャリアの無線リソース配置情報を受信し、下りリンクキャリアに載せられた少なくとも１つの他の下りリンクキャリアのＳＩ−ＲＮＴＩにより当該下りリンクキャリアにて少なくとも１つの上記他の下りリンクキャリアの無線リソース配置情報を受信する。
【０１５４】
上記下りリンクキャリアの主システム情報は、上記下りリンクキャリアの周波数点、帯域幅、フレーム番号と物理ＨＡＲＱ指示チャンネルＰＨＩＣＨ配置情報中の１種類或いは多種類を含む。
【０１５５】
本発明の実施形態はマルチキャリアにおける各下りリンクキャリアにて他の下りリンクキャリアのシステム情報を配置して、かつ対応する下りリンクキャリアにて送信することにより、端末が対応する下りリンクキャリアにて他の下りリンクキャリアのシステム情報を受信できるようになり、端末が他の下りリンクキャリアシステム情報を取得する速度と效率を高める。当然、本発明の実施形態にかかるいずれの製品も必ずしも以上の全ての利点を同時に満たす必要はない。
【０１５６】
以上の各実施形態は、全てネットワーク側がマルチキャリアにおける各下りリンクキャリアにて動作することによって本発明の方案を説明したが、これに限られず、本発明の実施形態はネットワーク側が少なくとも１つの下りリンクキャリアにて動作する方案により本発明の技術問題を解决することもできる。
【０１５７】
ネットワーク側の下りリンクキャリアにて乃動作は、当該下りリンクキャリアの主システム情報と無線リソース配置情報を配置することと、当該下りリンクキャリアの主システム情報と無線リソース配置情報、及び少なくとも１つの他の下りリンクキャリアの主システム情報を含むシステム情報を当該下りリンクキャリアで送信することを含む。上記システム情報は、少なくとも１つの上記他の下りリンクキャリアの無線リソース配置情報をさらに含む。
【０１５８】
以上の実施形態の説明を通して、本発明がソフトウェアに必須の通用ハードウェアプラットフォームをくわえることにより実現できることが、当業者にとって明らかってある。当然ハードウェアを利用しても実現できるが、多くの情況において前者がより良い実施形態である。このような理解をもとにすると、本発明の技術方案の本質上或いは従来技術に対し貢献できる部分はソフトウェア製品の形式で体現できる。当該コンピューターソフトウェア製品は、１つのメモリー媒体に保存し、一台の端末設備（携帯電話、パーソナルコンピューター、サーバー、或いはネットワーク設備等でもよい）を本発明各実施形態に説明した上記の方法を実行させる若干の指令を含む。
【０１５９】
以上、本発明を説明するため、幾つかの実施形態を公開した。上述した実施形態は本発明を限定するものではない。本技術分野を熟知する如何なる技術者が本発明に開示する技術範囲内で容易に想到する変更や置換えも本発明の保護範囲内に含まれるものである。
【符号の説明】
【０１６０】
７０  ネットワーク側設備、
７１  配置モジュール、
７２  送信モジュール、
８０  端末、
８１  受信モジュール、
８１１  検出サブモジュール、
８１２  第１受信サブモジュール、
８１３  第２受信サブモジュール。
【図１】
0005485399.tif 000002
【図２】
0005485399.tif 000003
【図３】
0005485399.tif 000004
【図４】
0005485399.tif 000005
【図５】
0005485399.tif 000006
【図６】
0005485399.tif 000007
【図７】
0005485399.tif 000008
【図８】
0005485399.tif 000009